(57)【要約】【課題】化学洗浄液を用いずにトレーを連続的にかつトレーの隅々の汚れまで洗浄し、しかも洗浄後のトレーの水分の除去を確実に行い、乾燥の時間が長くかからないトレー洗浄乾燥機を提供すること。【解決手段】洗浄対象のトレー７を順次押し出して移送するトレーピッチ送り部１と、これによって押し出されたトレー７を洗浄するトレー洗浄部２と、トレー洗浄部２で洗浄されたトレー７を段積みするトレー段積み部３と、トレー段積み部３から送り込まれた段積みトレー群８を挟持状態で回転させて脱水する、遠心力を用いたトレー遠心脱水部４と、トレー遠心脱水部４で脱水処理された段積みトレー群８を乾燥するトレー乾燥部５とで構成した。【選択図】　図１
0003098329.tif 000002
【実用新案登録請求の範囲】
【請求項１】
洗浄対象のトレーを、後記トレー洗浄部に、次いで後記トレー段積み部へトレー送りフック及びピッチ送り駆動モータによって順次押し込んで移送するトレーピッチ送り部と、
該トレーピッチ送り部により押し込まれたトレーに温水を噴射する洗浄ノズル、該洗浄ノズルで温水を噴射した後に該トレーにすすぎの温水を噴射するすすぎノズル、洗浄ノズル及びすすぎノズルに温水を圧送するための洗浄ポンプ及びポンプ用モータを具備するトレー洗浄部と、
該トレー洗浄部で洗浄され前記トレーピッチ送り部により押し込まれた前記トレーを下方から段積みシリンダによって昇降する受台によって段積みするトレー段積み部であって、前記トレーの段積み枚数が所定の枚数になった場合に後記トレー遠心脱水部に押し込むトレー排出シリンダを具備するトレー段積み部と、
該トレー段積み部から押し込まれた段積み状態のトレーを上下で挟持する支持構造であって、下部からトレークランプシリンダによって上昇し回動可能に構成した下部支持部材及び脱水回転モータに直結し回動可能に構成した上部支持部材とによって前記段積み状態のトレーを挟持状態にする支持構造を具備し、該支持構造を前記脱水回転モータによって回転させることによって該段積み状態のトレーに残留する水分を脱水するトレー遠心脱水部と、
該トレー遠心脱水部で脱水処理された後、その下部に配したトレー回収シリンダによって引き込んだ段積み状態のトレーに熱風を吹き付けて乾燥させるトレー熱風乾燥室及びその熱風を発生する熱風発生機を具備するトレー乾燥部と、
で構成したトレー洗浄乾燥機。
【請求項２】
前記トレーピッチ送り部は、段積み状態で投入された前記トレーを下方から一枚づつ分離して送り出すためのディスペンサーを具備し、かつ先に送り出された前記トレーの洗浄中は移送動作を停止するように構成した請求項１のトレー洗浄乾燥機。
【請求項３】
前記洗浄ノズルを、前記トレー洗浄部の洗浄室の上下前後の互いにずれた位置に２本配し、各洗浄ノズルには複数の噴射孔を構成し、かつ前記すすぎノズルを、前記洗浄室の出口側上部及び下部に２本配し、該すすぎノズルには複数の噴射孔を構成した請求項１のトレー洗浄乾燥機。
【請求項４】
前記トレーピッチ送り部、前記トレー洗浄部、前記トレー段積み部、前記トレー遠心脱水部及び前記トレー乾燥部には、前記トレー又は前記段積み状態のトレーをスライド移動させるための、前記トレーの幅で配されるレールを配した請求項１のトレー洗浄乾燥機。
【考案の詳細な説明】
【０００１】
【考案の属する技術分野】
本考案は、多数の卵等を縦横に収納するトレーの洗浄と乾燥を連続的に行なうためのトレー洗浄乾燥機に関するものである。
【０００２】
【従来の技術】
従来のトレー洗浄装置として、例えば、箱型のケーシング中にトレーを置き回転させる回転テーブルと、この回転テーブルの上に載って回転するトレーに洗浄液を噴射する洗剤噴射手段と、これによる洗剤噴射後にトレーにすすぎ水を噴射する水噴射手段と、その後にすすぎ水で濡れた容器に熱風を吹き付けて乾燥させるエアブロー手段とを備えたものが提供されている。
【０００３】
この洗浄装置は、一つの回転テーブル上にトレーを載せ、この回転テーブル上で、洗浄液による洗浄、すすぎ及びエアブローによる乾燥の全ての工程を行なわせるものであるため、一つのトレーの洗浄乾燥に時間がかかり、数多くのトレーの連続的な洗浄乾燥には適さないものであった。
【０００４】
また特許文献１の「溜水払拭装置、付着物剥離装置及び天板洗浄機」には、「トレー状の被洗浄物を、その上面を上方に向けた姿勢のまま洗浄可能な装置を実現すること」なる目的に対して、「装置の内部にはトレーがその上面を上方に向けたまま搬送され、その搬送路には、トレー内部に洗浄液を噴射して滞留させると共に、洗浄液に物理力を作用させるノズルを有する化学洗浄室と、その洗浄液をエアーブレードを形成して吹き払うノズルを有する洗浄液除去室と、噴射圧力によりトレー内部から飛散可能な超高圧で井水を噴射し、その水撃によりトレー表面の付着物を除去する第１の超高圧洗浄室、第２の超高圧洗浄室と、噴射圧力によりトレー内部から飛散可能な超高圧で水道水を噴射するノズルを有するすすぎ室と、エアーブローによりトレーを乾燥する乾燥室を有する」構成が開示されている。
【０００５】
この洗浄装置には、化学洗浄室、洗浄液除去室、第１の超高圧洗浄室、第２の超高圧洗浄室、すすぎ室及び乾燥室が設けられており、洗浄対象のトレーはその搬送方向に沿って順次洗浄乾燥できるように構成されている。
【０００６】
従ってこの洗浄装置によれば、トレー等の被洗浄物の上面を上向きのまま洗浄乾燥することが可能ではあるが、以下に示す点が懸念される。
（１）洗浄に化学洗浄液を用いているので、その処理に特別の配慮を払う必要がある。ここでは、洗浄液除去室でエアーブローを利用して化学洗浄液を完全に除去し、次工程の第１超高圧洗浄室及び第２超高圧洗浄室に化学洗浄液が持ち込まれないようにしている。それ故、装置そのもがその分だけ大掛かりとなり高価になる。
（２）第１超高圧洗浄室及び第２超高圧洗浄室には、超高圧で井水が噴射されるようにノズルとプランジャーポンプが設けられている。噴射される井水は超高圧であるから確実に被洗浄対象物を洗浄することが可能ではあるが、超高圧とする故に、その利用範囲が限られている。そして又装置そのものがその分だけ大掛かりとなり高価にもなる。
（３）被洗浄物はトレーであって、その上面を上方に向けたままの姿勢で洗浄される。その後、乾燥室で乾燥されるが、第１超高圧洗浄室及び第２超高圧洗浄室から取り出された被洗浄物に水分が多量に残っており、エアーブローで吹き飛ばすことが困難であることは経験的に明らかであり、乾燥には十分の熱量が必要となる。熱量が足りないと乾燥に長い時間がかかることとなる。
【０００７】
【特許文献１】
特開平５―６４５３７号公報
【０００８】
【考案が解決しようとする課題】
本考案は、以上のような従来技術の問題点を解決し、化学洗浄液を用いずにトレーを連続的にかつトレーの隅々の汚れまで洗浄し、しかも水分の除去を能率的かつ確実に行い、洗浄後のトレー乾燥の時間が長くかからないトレー洗浄乾燥機を提供することを解決の課題とするものである。
【０００９】
【課題を解決するための手段】
本考案の１は、洗浄対象のトレーを、後記トレー洗浄部に、次いで後記トレー段積み部へトレー送りフック及びピッチ送り駆動モータによって順次押し込んで移送するトレーピッチ送り部と、
該トレーピッチ送り部により押し込まれたトレーに温水を噴射する洗浄ノズル、該洗浄ノズルで温水を噴射した後に該トレーにすすぎの温水を噴射するすすぎノズル、洗浄ノズル及びすすぎノズルに温水を圧送するための洗浄ポンプ及びポンプ用モータを具備するトレー洗浄部と、
該トレー洗浄部で洗浄され前記トレーピッチ送り部により押し込まれた前記トレーを下方から段積みシリンダによって昇降する受台によって段積みするトレー段積み部であって、前記トレーの段積み枚数が所定の枚数になった場合に後記トレー遠心脱水部に押し込むトレー排出シリンダを具備するトレー段積み部と、
該トレー段積み部から押し込まれた段積み状態のトレーを上下で挟持する支持構造であって、下部からトレークランプシリンダによって上昇し回動可能に構成した下部支持部材及び脱水回転モータに直結し回動可能に構成した上部支持部材とによって前記段積み状態のトレーを挟持状態にする支持構造を具備し、該支持構造を前記脱水回転モータによって回転させることによって該段積み状態のトレーに残留する水分を脱水するトレー遠心脱水部と、
該トレー遠心脱水部で脱水処理された後、その下部に配したトレー回収シリンダによって引き込んだ段積み状態のトレーに熱風を吹き付けて乾燥させるトレー熱風乾燥室及びその熱風を発生する熱風発生機を具備するトレー乾燥部と、
で構成したトレー洗浄乾燥機である。
【００１０】
本考案のトレー洗浄乾燥機は、基本的に、トレーピッチ送り部とトレー洗浄部とトレー段積み部とトレー遠心脱水部とトレー乾燥部とから構成される。
【００１１】
前記トレーピッチ送り部は、洗浄対象のトレーを、前記トレー洗浄部、次いで前記トレー段積み部に順次押し込んで移送するものであって、各部の動作に干渉するなどの不都合を生じさせないものであり、かつ前記トレー洗浄部で先に送り出されたトレーの洗浄中は移送動作を滞留するように、トレー送りフック及びピッチ送り駆動モータを具備して構成されている。
【００１２】
前記トレー送りフックは、前記洗浄対象のトレーを引き掛けて移動させるものであって、そのような作用を為すものであれば特定の構造、材質に限定されない。トレーを引き掛ける部位は特に拘らないが、トレーの前後の縁が望ましい。
【００１３】
ピッチ送り駆動モータは、前記トレー送りフックで引き掛けた前記トレーを、１ピッチだけ前記トレー洗浄部側へ送り出すためのものであって、１ピッチとは、前記洗浄対象トレーの長さ分を云う。前記ピッチ送り駆動モータと前記トレー送りフックとはチェーン等によって動力が伝達されるように構成することができるが、その他の構成であっても構わない。
【００１４】
従って、該トレーピッチ送り部では、１ピッチづづトレーを押し出すことで、押し出されたトレーがその前に押し出されたトレーを押し出すといった動作が連続で行なわれることとなる。従って、順次トレーが押し出されて行くが、最終的には前記トレー段積み部に押し込まれたトレーが段積みされるように構成されている。
【００１５】
前記トレー洗浄部は、前記トレーピッチ送り部で一枚ずつ押し出されたトレーを洗浄する洗浄部であって、基本的に洗浄室と洗浄ポンプとポンプ用モータと温水を噴射する洗浄ノズル及びすすぎノズルとで構成される。洗浄室の広さは、洗浄対象のトレーが覆われ洗浄できるような広さであれば特に拘らない。
【００１６】
前記洗浄ノズルは、洗浄対象のトレーの汚れを洗浄するものであって、温水を噴射するが、洗浄対象のトレーの形状、汚れの程度などを考慮して、洗浄ノズルの配置、噴射孔の数、形状などを適宜決定することができる。即ち、特定の構造に拘ることなく種々のものを採用することができる。
【００１７】
前記すすぎノズルは、前記洗浄ノズルで洗浄したトレーをすすぐためのものであって、温水を噴射するが、洗浄対象のトレーの形状、どの程度すすぐ必要があるか等を考慮して、すすぎノズルの配置、噴射孔の数、形状などを適宜決定することができる。即ち、特定の構造に拘ることなく種々のものを採用することができる。
【００１８】
前記洗浄ポンプは、前記洗浄ノズル及びすすぎノズルに温水を供給するものであって、必要な流量、流速などを考慮してポンプの容量等を決めることができる。
【００１９】
前記ポンプ用モータは、前記洗浄ポンプを作動させるものであって、前記洗浄ポンプと合わせて、容量、回転数などを適宜決めることができる。
【００２０】
従って、本考案のトレー洗浄乾燥機によれば、そのトレー洗浄部では、洗浄対象のトレーが前記トレーピッチ送り部で押し出されて洗浄室に入り、洗浄ノズルによる温水噴射が所定の流量で、所定の時間だけ行なわれて洗浄される。次いで、一ピッチ進んで、すすぎノズルによる温水噴射が所定の流量で所定の時間だけ行なわれて、トレーがすすがれることとなる。この動作が次から次へと連続で行なわれる。
【００２１】
前記トレー段積み部は、前記トレー洗浄部で洗浄とすすぎが終わったトレーを次々に段積みする部分であって、下方からトレーを押し上げる受台と、この受台を昇降させる段積みシリンダと、段積みしたトレーを前記トレー乾燥部に送り込むトレー排出シリンダとを具備して構成される。
【００２２】
前記受台は、トレーに下方から接触して上方に持ち上げる、いわゆるエレベータ床であって、前記段積みシリンダに直結して昇降するように構成されている。そして、該受台にはトレーを安定に支持するための突起部を設けても良い。持ち上げられたトレーは、所定の枚数が段積みされるまでは、それまで段積みされているトレー毎一緒に持ち上げられて、一番下に重ねられて段積みされるように構成されている。このように動作するためにスプロケットやギヤ等を適宜用いることができる。
【００２３】
前記段積みシリンダは、シリンダと棒状部材とから構成されており、前記棒状部材の先端に前記受台が取り付けられている。前記棒状部材は前記シリンダによって上下に昇降できるように構成されている。シリンダや棒状部材は、そのような動作を行なうものであれば特定のそれに拘らない。
【００２４】
前記排出シリンダは、前記洗浄が終わったトレーを段積み状態で、前記トレー遠心脱水部に送り込むものであって、シリンダと棒状部材とから構成されており、前記棒状部材の先端に前記段積み状態のトレーを送り込む押当部が取り付けられている。前記棒状部材は前記シリンダによって水平方向に伸縮できるように構成されている。該排出シリンダを構成するシリンダや棒状部材は、そのような動作を行なうものであれば特定のそれに拘らない。
【００２５】
従って、前記トレー段積み部では、前記トレー洗浄部で洗浄とすすぎが終わったトレーが前述のように一枚一枚毎段積みされて行き、段積みの枚数が所定の枚数になったときには、前記トレー排出シリンダがこの段積み状態のトレーを前記トレー遠心脱水部に送り込むように構成されている。なお、所定の枚数に達したかどうかの検知は、例えば、光電式の検知センサを用いて行なうことができる。
【００２６】
前記トレー遠心脱水部は、前記トレー段積み部から送り込まれた前記段積み状態のトレーを上下で挟持する支持構造を具備して構成される。
【００２７】
前記支持構造は、下部からトレークランプシリンダによって上昇し回動可能に構成した下部支持部材と、脱水回転モータに直結し回動可能に構成した上部支持部材とによって構成される。
【００２８】
前記下部支持部材は、前記トレークランプシリンダの棒状部材の先端に取り付けられており、トレーを押さえて回転するのに都合が良いように突起部を有していて、回動可能に構成されている。例えば、回転はボールベアリング等を用いて支持する構成とすることができる。
【００２９】
前記上部支持部材は、脱水回転モータに直結して回動可能に構成されている。そして、トレーを上から押さえて回転するのに都合が良いように突起部を有している。脱水回転モータとの結合はユニバーサルジョイント等を用いることができる。
【００３０】
前記脱水回転モータは、通常の電動モータであって、前記上部支持部材と前記下部支持部材との間に挟持した前記段積み状態のトレーを回転できるだけのトルクがあれば種類、構造等は問わない。
【００３１】
従って、該トレー遠心脱水部では、前記トレー洗浄部から送り込まれた前記段積み状態のトレーは、下方から前記トレークランプシリンダによって下部支持部材が持ち上げられて行って該段積み状態のトレーを押し上げ、やがて上部支持部材との間に挟持されることとなる。そして、前記脱水回転モータを所定の回転数、時間で回転させ、遠心力によって前記段積み状態の各々のトレーに残留している水分の遠心除去を行なうこととなる。脱水が終わった後には前記トレークランプシリンダによって、前記下部支持部材を下降させ、脱水前に送り込まれた位置に前記段積み状態のトレーが載置されることとなる。
【００３２】
前記トレー乾燥部は、前記トレー遠心脱水部で脱水され、その下部に配した回収シリンダで引き込んだ段積み状態のトレーを乾燥させるものであって、熱風乾燥室と熱風発生機とを具備して構成される。
【００３３】
前記トレー熱風乾燥室は、前記段積み状態のトレーが完全に覆われる大きさであって、必要に応じて縦に２つ或いは３つ並ぶ大きさであっても良い。縦に２つ並ぶ大きさにすれば、乾燥時間が倍になりそれだけ乾燥させ易くなる。この段積み状態のトレーは、前記トレー回収シリンダによって順次引き込まれると共に、引き込まれた段積み状態のトレーが、該熱風乾燥室に入っていた段積み状態のトレーを押し出すように構成されている。この熱風乾燥室には、前記熱風発生機からの熱風が熱風ダクトによって導かれ送り込まれる構成になっている。
【００３４】
前記熱風発生機は、熱風を発生する機構を有していればどんな構成であっても構わない。例えば、電熱ヒータと送風機とで構成することができる。
【００３５】
従って、該トレー乾燥部では、前記トレー遠心脱水部から送り込まれた段積み状態のトレーが該トレー乾燥部で乾燥させられて、該トレー乾燥部の外に送り出されることとなる。この送り出しは、前記トレー回収シリンダによって引き込まれた段積み状態のトレーが、以前に送り込まれた段積み状態のトレーを押し出すことにより行なわれる。
【００３６】
従って本考案の１のトレー洗浄乾燥機によれば、化学洗浄液を用いずにトレーを連続的にかつトレーの隅々の汚れまで洗浄し、しかも洗浄後のトレーの水分の除去が確実に行われるため、乾燥の時間が長くかからないようにすることができる。
【００３７】
本考案の２は、本考案の１のトレー洗浄乾燥機に於いて、前記トレーピッチ送り部は、段積み状態で投入された前記トレーを下方から一枚づつ分離して送り出すためのディスペンサーを具備し、かつ先に送り出された前記トレーの洗浄中は移送動作を停止するように構成したものである。
【００３８】
前記ディスペンサーは、重ねて投入されたトレーを一枚一枚分離するものであって、例えば、前記トレー送りフックと連動して、トレーが押し出されたときに、重なっている一番下のトレーが落下するように、ギヤやスプロケット等を用いて構成することが出来る。そのような動作をするものであれば特定の構造に拘らないことは云うまでもない。
【００３９】
従って本考案の２のトレー洗浄乾燥機によれば、重なったトレーが一枚づつ分離されて、前記トレー洗浄部に押し出され、しかも先に押し出されたトレー洗浄中は新たなトレーの移送を停止するように構成したので、効率良くトレーをトレー洗浄部の洗浄室に押し出すことが可能となる。
【００４０】
本考案の３は、本考案の１のトレー洗浄乾燥機に於いて、前記洗浄ノズルを、前記トレー洗浄部の洗浄室の上下前後の互いにずれた位置に２本配し、各洗浄ノズルには複数の噴射孔を構成し、かつ前記すすぎノズルを、前記洗浄室の出口側上部及び下部に２本配し、該すすぎノズルには複数の噴射孔を構成したものである。
【００４１】
従って本考案の３のトレー洗浄乾燥機によれば、トレーの洗浄とすすぎを効率的にしかも確実に行なうことが可能になる。
【００４２】
本考案の４は、本考案の１のトレー洗浄乾燥機に於いて、前記トレーピッチ送り部、前記トレー洗浄部、前記トレー段積み部、前記トレー遠心脱水部及び前記トレー乾燥部には、前記トレー又は前記段積み状態のトレーをスライド移動させるための、前記トレーの幅で配されるレールを配したものである。
【００４３】
前記レールは、トレーの幅で配されるが、材質やそのレールの横幅等は適宜決めることができる。そして、必ずしも連続である必要はない。トレーが跨いでいる２本のレールから、前記トレーが外れないようにすることは云うまでもない。例えば、そのためにガイドを設けて、２本のレール上の空間の横幅を規制するように構成しても良い。
【００４４】
従って本考案の４のトレー洗浄乾燥機によれば、洗浄対象のトレーが本考案のトレー洗浄乾燥機内を円滑に動くことが可能となり、その結果、洗浄乾燥が効果的に行われることとなる。
【００４５】
【考案の実施の形態】
以下、考案の実施の形態を実施例に基づき、かつ添付図を参照しつつ詳細に説明する。
【００４６】
図１に示すように、このトレー洗浄乾燥機は、図２に示したような洗浄対象のトレー７を順次押し出して移送するトレーピッチ送り部１と、該トレーピッチ送り部１で押し出されたトレー７、７…を洗浄するトレー洗浄部２と、該トレー洗浄部２で洗浄されたトレー７、７…を段積みするトレー段積み部３と、該トレー段積み部３から送り込まれた段積みトレー群８を挟持状態で回転させて脱水するトレー遠心脱水部４と、該トレー遠心脱水部４で脱水処理された段積みトレー群８を乾燥するトレー乾燥部５とで構成したものである。
【００４７】
トレーピッチ送り部１は、洗浄対象のトレー７を、前記トレー洗浄部２、次いで前記トレー段積み部３に順次送り出して移送するものであって、かつ前記トレー洗浄部２で先に送り出されたトレー７の洗浄中は移送動作を滞留するように構成したトレー送りフック１ｃ、１ｃ及びピッチ送り駆動モータ１ｄを具備させた。
【００４８】
前記トレー送りフック１ｃ、１ｃは、前記洗浄対象のトレー７を引き掛けて移動させるものであって、金属板で製作しトレー７の前後の縁を引き掛けるように構成した。
【００４９】
ピッチ送り駆動モータ１ｄは、前記トレー送りフック１ｃで引き掛けたトレー７を１ピッチだけ、即ち、トレー７の長さ分だけ前記トレー洗浄部２側へ送り出すためのものであって、該ピッチ送り駆動モータ１ｄのトルクはピッチ送り駆動チェーン１ｅによって前記トレー送りフック１ｃに伝達されるように構成した。
【００５０】
前記トレーピッチ送り部１は、重ねて投入された前記トレー７を一枚ずつ分離して送り出すためのディスペンサー１ｂを具備した。前述のように、先に送り出された前記トレー７を洗浄している間は、トレー７の移送動作を停止するように構成しているが、それはこのディスペンサー１ｂと連動して行なわれる。
【００５１】
即ち、前記ディスペンサー１ｂは、重ねて投入されたトレー７を一枚ずつ分離するものであるが、前記トレー送りフック１ｃと連動して、トレー７が押し出されたときに、重なっている一番下のトレー７が自由落下するように、ギヤとスプロケットを用いて構成した。
【００５２】
従って、該トレーピッチ送り部１では、１ピッチづづトレー７を押し出すことで、押し出されたトレー７がその前に押し出されたトレー７を押し出すといった動作が連続で行なわれることとなる。このように順次トレー７が押し出されて行くが、最終的には前記トレー段積み部３で押し出されたトレー７、７…が段積みされるように構成されている。
【００５３】
トレー７の移送に関しては、前記トレーピッチ送り部１、前記トレー洗浄部２、前記トレー段積み部３、前記トレー遠心脱水部４及び前記トレー乾燥部５に、前記トレー７の幅で２本のレール６、６を配して、トレー７、７…の移送が容易にかつ円滑に行なわれるように構成した。
【００５４】
前記レール６、６は、トレー７の幅で配し材質は金属製とした。それぞれのレールの幅は略３０ｍｍである。前記トレー７は、この２本のレール６、６をトレー７の両端部だけが載って移送されることとなる。そして、このレール６、６から前記トレー７又は前記段積みトレー群８が外れて落下しないように、レール６、６上の空間の横幅をプラスチック樹脂製のガイドで規制した。
【００５５】
前記トレー洗浄部２は、前記トレーピッチ送り部１で押し出されたトレー７を洗浄する洗浄部であって、基本的に、洗浄室２ａと洗浄ポンプ２ｅとポンプ用モータ２ｄと温水を噴射する洗浄ノズル２ｂ、２ｂ及びすすぎノズル２ｃ、２ｃとで構成した。洗浄室２ａの広さは、洗浄対象のトレー７が縦に２つ並ぶ広さとした。
【００５６】
前記洗浄ノズル２ｂ、２ｂは、洗浄室２ａ内の上下前後の互いにずれた位置に２本配し、各洗浄ノズル２ｂ、２ｂには１２個の噴射孔を設けた。また、前記すすぎノズル２ｃ、２ｃは、洗浄室２ａ内の出口側上部及び下部に２本配し、各すすぎノズル２ｃ、２ｃには２個の噴射孔を設けた。
【００５７】
前記洗浄ノズル２ｂ、２ｂ及び前記すすぎノズル２ｃ、２ｃは、洗浄対象のトレーの汚れを洗浄し、すすぐものであって、約６０℃の温水を噴射するように構成した。洗浄能力は１時間に１２００枚である。
【００５８】
前記洗浄ポンプ２ｅは、前記洗浄ノズル１ｂ、１ｂ及びすすぎノズル１ｃ、１ｃに温水を供給するものであって、前述のように１時間に１２００枚のトレー７、７…を洗浄できるだけの流量及び流速を算出して、該洗浄ポンプ２ｅの容量等を決めた。
【００５９】
前記ポンプ用モータ２ｄは、前記洗浄ポンプ２ｅを作動させるものであって、前記洗浄ポンプ２ｅの特性と合わせて、容量、回転数等を適宜決めた。
【００６０】
従って、該トレー洗浄部２では、洗浄対象のトレー７が前記トレーピッチ送り部１で押し出されて洗浄室２ａに入り、洗浄ノズル２ｂ、２ｂによる温水噴射が所定の流量で所定の時間行なわれて洗浄される。次いで、すすぎノズル２ｃ、２ｃによる温水噴射が所定の流量で所定の時間行なわれてトレーがすすがれることとなる。この動作が連続して行なわれる。
【００６１】
前記トレー段積み部３は、前記トレー洗浄部２で洗浄とすすぎが終わったトレー７を次々に段積みする部分であって、下方からトレーを押し上げる受台３ｅ及び段積みシリンダ３ａと、これによって段積みされた段積みトレー群８を前記トレー遠心脱水部４に送り込むトレー排出シリンダ３ｂとを具備して構成した。
【００６２】
前記受台３ｅは、洗浄が終わった前記トレー７に下方から接触して持ち上げる、いわゆるエレベータ床であって、前記段積みシリンダ３ａに直結して上下するように構成した。また、受台３ｅには前記トレー７を固定するための突起部３ｆを設けた。持ち上げられた前記トレー７は、所定の枚数が段積みされるまでは、それまで段積みされているトレー７、７…毎一緒に持ち上げられて、その一番下に重ねられて段積みされるように構成した。このように動作するために、スプロケットやギヤ等を適宜用いた。なお、所定の枚数に到達したかどうかは、トレー検知センサ３ｄを用いた。これは、例えば、トレーが段積みされて高く積み上がって行ったときに、光電式のスイッチがオン又はオフするように回路を構成すれば検知可能である。
【００６３】
前記段積みシリンダ３ａは、シリンダと棒状部材とから構成されており、前記棒状部材の先端に前記受台３ｅを取り付けた。前記棒状部材は、前記シリンダによって上下に昇降できるように構成した。
【００６４】
前記トレー排出シリンダ３ｂは、前記洗浄が終わったトレー７を段積み状態で前記トレー遠心脱水部４に送り込むものであって、シリンダと棒状部材とから構成されている。前記棒状部材の先端に、前記段積みトレー群８を前記トレー遠心脱水部４に送り込むための押当部３ｃを取り付けた。前記棒状部材は前記シリンダによって水平方向に伸縮して、この押当部３ｃを水平方向に動かすこととなる。
【００６５】
従って、前記トレー段積み部３では、前記トレー洗浄部２で洗浄とすすぎが終わったトレー７が前述のように一枚一枚毎段積みされて行き、段積みの枚数が所定の枚数になったとき前記トレー検知センサ３ｄが作動して、前記トレー排出シリンダ３ｂがこの段積みトレー群８を前記トレー遠心脱水部４に送り込むという動作を行なうこととなる。
【００６６】
前記トレー遠心脱水部４は、前記トレー段積み部３から送り込まれた段積みトレー群８を挟持する支持構造を具備して構成される。
【００６７】
前記支持構造は、下部からトレークランプシリンダ４ｃによって上昇し回動可能に構成した下部支持部材４ａと、脱水回転モータ４ｄに直結し回動可能に構成した上部支持部材４ｂとによって構成される。
【００６８】
前記下部支持部材４ｂは、前記トレークランプシリンダ４ｃの棒状部材の先端に取り付けられており、トレー７、７…を押さえて回転するのに都合が良いように突起部４ｅを有していて、回動可能に構成した。
【００６９】
前記上部支持部材４ａは、脱水回転モータ４ｄに直結して回動可能に構成した。そしてトレーを上から押さえて回転するのに都合が良いように前記下部支持部材４ｂと同様に突起部４ｅを有している。脱水回転モータ４ｄとの結合はユニバーサルジョイントを用いた。
【００７０】
前記脱水回転モータ４ｄは、通常の電動モータであって、前記上部支持部材４ａと前記下部支持部材４ｂとの間に前記段積み状態のトレー８を挟持したまま回転できるだけのトルクを有している。
【００７１】
従って該トレー遠心脱水部４では、前記トレー段積み部３から送り込まれた前記段積トレー群８が、前記トレークランプシリンダ４ｃによって下部支持部材４ｂが持ち上げられて行き、やがて上部支持部材４ａとの間に挟持されることとなる。そして、前記脱水回転モータ４ｄを６００ｒｐｍで２０秒間回転させ、遠心力によって前記段積みトレー群８に残留している水分の除去を行なう。脱水が終わった後は、前記トレークランプシリンダ４ｃによって、前記下部支持部材４ｂを下げて行き、脱水前に送り込まれた位置に、即ち、前記トレー段積み部３から送り込まれたときと同じように２本レール上６、６上に、前記段積みトレー群８が載置されることとなる。
【００７２】
前記トレー乾燥部５は、前記トレー遠心脱水部４で脱水され、トレー回収シリンダ５ｄによって引き込まれた段積みトレー群８を乾燥させるものであって、熱風乾燥室５ａと熱風発生機５ｂとを具備して構成した。
【００７３】
前記トレー熱風乾燥室５ａは、前記段積みトレー群８が完全に覆われる大きさであって、縦に２つ並び得る大きさとした。縦に２つ並ぶ大きさにすれば、乾燥時間が倍になりそれだけ乾燥が良好に行われうる。この段積みトレー群８は、前記トレー回収シリンダ５ｄによって順次引き込まれると共に、引き込まれた段積みトレー群８が、該熱風乾燥室５ａに先に入っていた段積みトレー群８を押し出すこととなる。また、この熱風乾燥室５ａには、前記熱風発生機５ｂからの熱風が熱風ダクト５ｃによって導かれ送り込まれる構成とした。
【００７４】
前記熱風発生機５ｂは、熱風を発生する機構を有していればどんな構成であっても構わないが、ここでは、電熱ヒータと送風機とで構成した。熱風の温度は１００℃で風量は毎分８立方メートルとした。
【００７５】
従って、該トレー乾燥部５では、前記トレー遠心脱水部４から送り込まれた前記段積みトレー群８が乾燥させられて、該トレー乾燥部８の外部に送り出されることとなる。送り出しは前述のように、前記トレー回収シリンダ５ｄによって引き込まれた段積みトレー群８が、先に送り込まれた段積みトレー群８を順次押し出すことにより行なわれる。
【００７６】
従って、実施例のトレー洗浄乾燥機によれば、化学洗浄液を用いずにトレーを連続的にかつトレーの隅々の汚れまで洗浄し、しかも遠心脱水により水分の除去が確実に行われるため、洗浄後のトレー乾燥の時間が長くかからないという効果を発揮する。
【００７７】
【考案の効果】
本考案の１のトレー洗浄乾燥機によれば、化学洗浄液を用いずにトレーを連続的にかつトレーの隅々の汚れまで洗浄し、しかも洗浄後の水分の除去が遠心脱水により確実に行われるため、洗浄後のトレーの乾燥が短時間で確実に行われることとなる。
【００７８】
本考案の２のトレー洗浄乾燥機によれば、効率良くトレーをトレー洗浄部に押し出すことが可能となる。
【００７９】
本考案の３のトレー洗浄乾燥機によれば、トレーの洗浄とすすぎを効率的にしかも確実に行なうことが可能になる。
【００８０】
本考案の４のトレー洗浄乾燥機によれば、洗浄対象のトレーが装置内を円滑に動くことが可能となり、洗浄乾燥が効果的に行われることとなる。
【図面の簡単な説明】
【図１】実施例のトレー洗浄乾燥機を示す正面一部断面概略説明図。
【図２】（ａ）　実施例に関わる洗浄対象トレーの平面説明図。
（ｂ）　実施例に関わる洗浄対象トレーの側面説明図。
【符号の説明】
１　　トレーピッチ送り部
１ａ　トレー投入口
１ｂ　ディスペンサー
１ｃ　トレー送りフック
１ｄ　ピッチ送り駆動モータ
１ｅ　ピッチ送り駆動チェーン
２　　トレー洗浄部
２ａ　洗浄室
２ｂ　洗浄ノズル
２ｃ　すすぎノズル
２ｅ　洗浄ポンプ
２ｄ　ポンプ用モータ
３　　トレー段積み部
３ａ　段積みシリンダ
３ｂ　トレー排出シリンダ
３ｃ　押し当て部
３ｄ　トレー検知センサ
３ｅ　受台
３ｆ　突起部
４　　トレー遠心脱水部
４ａ　上部支持部材
４ｂ　下部支持部材
４ｃ　トレークランプシリンダ
４ｄ　脱水回転モータ
４ｅ　突起部
５　　トレー乾燥部
５ａ　熱風乾燥室
５ｂ　熱風発生機
５ｃ　熱風ダクト
５ｄ　トレー回収シリンダ
６　　レール
７　　洗浄対象トレー
８　　段積みトレー群
【図１】
0003098329.tif 000003
【図２】
0003098329.tif 000004